(57)【要約】【課題】アイガードキャップを光重合器に固定された脱落防止部材に一体的に連結し、該アイガードキャップが該光重合器から脱落する恐れをなくす。【解決手段】２０は口腔内に挿入して歯牙修復用の光重合レジンを光照射して硬化する光重合器１０に用いるアイガードである。該アイガード２０は、前記光重合器１０の光放射端に着脱自在に装着されるアイガードキャップ部２１と、該アイガードキャップ部２１に一体的に連結され前記光重合器１０に固定可能な脱落防止部２２とから成る。【選択図】図１
2006122227.tif 000002
【特許請求の範囲】
【請求項１】
口腔内に挿入して歯牙修復用の光重合レジンを光照射して硬化する光重合器に用いるアイガードであって、該アイガードは、前記光重合器の光放射端に着脱自在に装着されるアイガードキャップ部と、該アイガードキャップ部に一体的に連結され前記光重合器に固定可能な脱落防止部とから成ることを特徴とする光重合器用アイガード。
【請求項２】
前記アイガードキャップ部は、該アイガードキャップ部内に前記光重合器の先端部が衝き当る当てを有し、該光重合器の光照射面から前記アイガードキャップ部の先端面までの距離を一定に保持可能にしたことを特徴とする請求項１に記載の光重合器用アイガード。
【請求項３】
前記アイガードキャップ部の外周に軸方向の目盛りを有することを特徴とする請求項１に記載の光重合器用アイガード。
【請求項４】
前記脱落防止部は、リング部材より成り、該リング部材を前記光重合器に挿入して該光重合器に装着固定するようにしたことを特徴とする請求項１乃至３のいずれかに記載の光重合器用アイガード。
【発明の詳細な説明】
【技術分野】
【０００１】
本発明は、光重合器用アイガード、より詳細には、歯科治療において、口腔内に挿入して、歯牙の修繕に用いた光重合レジンに光（例えば、４００〜５００ｎｍ、より具体的には、４７８ｎｍ）を照射して、該光重合レジンを硬化させるための光重合器の光放射部に着脱自在に装着して、光重合器から放射される光が術者の目に入らないようにするアイガードに関し、特に、アイガードキャップ部が患者の口腔内で光重合器から脱落するのを防止するようにした光重合器用アイガードに関する。
【背景技術】
【０００２】
歯科治療においては、歯牙修復材として光重合レジンを用いるが、この光重合レジンは、例えば、歯牙の破損箇所へ接着した後、光を照射して硬化させ、硬化後、切削，研磨等を行って、元の歯牙と一体化させて破損前の歯牙の審美性を持たせて修復するものである。
【０００３】
図５は、本発明が適用される光重合器の一例としての従来の光照射器の一例を説明するための概略構成図で、図中、１０は光重合器、１は光源、２は楕円反射ミラー、３はフィルター、４はライトガイド（光ファイバー、石英、プラスチック等の光導体）、５はリード線で、周知のように、光源１は楕円反射ミラー２の焦点位置にあり、該光源１からの光を楕円反射ミラー２で反射する。この反射光は、前記楕円反射ミラーの焦点と対をなす他方の焦点位置近傍にその受光端が配設されたライトガイド４内に導入され、該ライトガイド４を通して伝送されて、光重合レジンに照射される。なお、フィルター３は、光源１からの光のうち、光重合に必要な光波長成分の光のみを通過させるもので、例えば、４００〜５００ｎｍ（より具体的には、４７８ｎｍ）の波長成分の光を透過させる。
【０００４】
図６は、光重合器の一使用例を説明するための要部概略構成図で、図中、１０は図５に示したごとき、従来より周知の光重合器、４はライトガイド、４ａは該ライトガイド４の先端面で、該ライトガイド４の先端面４ａからは、前述のようにして、光重合用の光が、例えば、歯牙６に詰められた光硬化性レジン７に向けて照射され、該レジン７を硬化させる。２１はライトガイドキャップ（２１１）又はアイガードリング（２１２）（ここでは、アイガードキャップ部２１又はアイガードリング２１と称す）で、該アイガードキャップ部２１は、光重合器１０の光放射端に着脱自在に装着され、光重合器１０から放射される光をガイドし或いは該光が直接術者の目に入らないようにしている。
【発明の開示】
【発明が解決しようとする課題】
【０００５】
上述のように、光重合器の光放出端にアイガードキャップ部を着脱自在に装着し、装着した状態で、患者の口腔内に挿入してレジンの光重合を行っているが、その時、光重合器から放射される光から術者の目を保護するようにしている。しかし、使用中に、アイガードキャップ部が光重合器から脱落してしまう危険があり、脱落すれば、そのまま、患者が誤飲してしまう恐れがあり、安全性が確保されていない。
【０００６】
本発明は、上述のごとき実情に鑑みてなされたものであり、特に、前述のアイガードキャップ部が光重合器から脱落すること、更には、脱落したアイガードキャップ部を患者が誤飲してしまうのを防止することを目的としてなされたものである。
【課題を解決するための手段】
【０００７】
請求項１の発明は、口腔内に挿入して歯牙修復用の光重合レジンを光照射して硬化する光重合器に用いるアイガードであって、該アイガードは、前記光重合器の光放射端に着脱自在に装着されるアイガードキャップ部と、該アイガードキャップ部に一体的に連結され前記光重合器に固定可能な脱落防止部とから成ることを特徴としたものである。
【０００８】
請求項２の発明は、請求項１に記載の光重合器用アイガードにおいて、前記アイガードキャップ部は、該アイガードキャップ部内に前記光重合器の先端部が衝き当る当てを有し、該光重合器の光照射面から前記アイガードキャップ部の先端面までの距離を一定に保持可能にしたことを特徴としたものである。
【０００９】
請求項３の発明は、請求項１に記載の光重合器用アイガードにおいて、前記アイガードキャップ部の外周に軸方向の目盛りを有することを特徴としたものである。
【００１０】
請求項４の発明は、請求項１乃至３のいずれかに記載の光重合器用アイガードにおいて、前記脱落防止部は、リング部材より成り、該リング部材を前記光重合器に挿入して該光重合器に装着固定するようにしたことを特徴としたものである。
【発明の効果】
【００１１】
本発明によると、アイガードキャップ部は、光重合器に固定された脱落防止部材に一体的に連結されているので、該アイガードキャップ部が該光重合器から脱落する恐れがなく、安全である。
【発明を実施するための最良の形態】
【００１２】
図１は、本発明が適用される一例としての光重合器１０と、該光重合器１０に適用される一例としての本発明によるアイガード２０の例を説明するための図で、図示例の場合、光重合器１０は、ヘッド部１１内に多数のＬＥＤを有し、該ＬＥＤからの光が光重合レジンの硬化に使用される例を想定し、これらＬＥＤからの光が直接或いは光導体を通して放射されるようになっている。アイガード２０は、光重合器１０の光放出端１１ａ側に着脱自在に装着されるアイガードキャップ部２１と該アイガードキャップ部２１と一体的に連結されたアイガードキャップ脱落防止部材２２とからなる。
【００１３】
図２は、図１に示したアイガード２０を光重合器１０に一体的に取り付けた時の状態を示す図で、図示例の場合、光重合器１０のヘッド部１１の連結部に脱落防止部材２２を取り付けた例を示すが、この場合、脱落防止部材２２をリングに形成しておき、光重合器１０からヘッド部１１を一旦取り外して脱落防止部材２２を光重合器１０に挿入するようにしてもよいし、脱落防止部材２２に切り割りを設けておき、該切り割りを開いて光重合器１０に装着するようにしてもよい等、任意所望の手段で取り付けるようにするとよい。
【００１４】
図３は、光重合器１０の光放射端部にアイガードリング２１を装着した時の様子を示す図で、口腔内でのレジン硬化時、このようにして、アイガードリング２１を光重合器１０の光放射端部に装着して使用すると、光重合器１０から放射された光が該アイガードリング２１によって遮られて、術者の目に直接入るようなことがなく、また、アイガードリング２１が光重合器１０から外れても、脱落防止部材２２によって光重合器１０に一体的に固定されているので、患者が誤飲するような恐れもない。
【００１５】
図４は、前記アイガードリング２１の断面構成を示す図で、図４（Ａ）に示した例は、アイガードリング２１の中空内には、光重合器１０の光放射端１１ａが挿入された時に、該光放射端１１ａの先端が衝き当る当て２１ａを有し、この当て２１ａによって、光重合器１０の光放射端とアイガードリング２１の端面との距離を一定に保つようにしている。また、図４（Ｂ）に示した例は、アイガードリング２１の外周面に軸方向に沿う目盛り２１ｂを設けておき、この目盛り２１ｂによって、光重合器１０の光放射端とアイガードリング２１の端面との距離Ｗ１，Ｗ２等を一定に保つようにしている。
【００１６】
以上に、本発明によるアイガードキャップ部を、ＬＥＤを光源とする光重合器に適用した場合の一例について説明したが、光源としては、図５に示したようなハロゲンランプなどの電球を用いてもよく、更には、図５に示したライトガイド４の先端部に着脱自在に装着されたアイガードキャップ部、ライトガイド等を、前述の脱落部材と連結して、光重合器１０に固定するようにしてもよい。
【図面の簡単な説明】
【００１７】
【図１】本発明が適用される一例としての光重合器と、本発明によるアイガードの一例を示す図である。
【図２】本発明によるアイガードキャップ脱落防止部材を光重合器に固定した場合の様子を示す図である。
【図３】本発明によるアイガードキャップ部を光重合器の光放射端に取り付けた時の様子を示す図である。
【図４】本発明によるアイガードキャップ部の断面構成例を示す図である。
【図５】本発明が適用される一例としての光重合器を説明するための図である。
【図６】光重合器の使用状態の一例を示す図である。
【００１８】
１…光源、２…楕円反射ミラー、３…フィルター、４…ライトガイド、５…リード線、６…歯牙、７…光硬化性レジン、１０…光重合器、１１…ヘッド部、１１ａ…光放出端、２０…アイガード、２１…アイガードキャップ部、２１ａ…当て、２１ｂ…目盛り、２２…アイガードキャップ脱落防止部材。
【図１】
2006122227.tif 000003
【図２】
2006122227.tif 000004
【図３】
2006122227.tif 000005
【図４】
2006122227.tif 000006
【図５】
2006122227.tif 000007
【図６】
2006122227.tif 000008